(57)【要約】【課題】電磁シールドルームなどの全体が構築されなくても、電磁シールド扉の電磁シールド性能を容易に評価することのできる、収納体の性能評価装置および性能評価方法を提供する。【解決手段】電磁シールド扉を閉じた状態で測定したシールドガスケットの圧力の測定情報を圧力測定部から入力し（ステップＳ２）、圧力測定部によるシールドガスケットの測定位置と、測定情報に含まれる位置情報とに基づき、シールドガスケットにおける圧力分布を検出する（ステップＳ３）。記憶部に記憶された電磁シールド性能情報に基づき、シールドガスケットの圧力分布から、各位置の圧力に対応する電磁シールド性能を特定して、シールドガスケットの各位置における電磁シールド性能を特定し（ステップＳ４）、特定結果を表示装置に表示する（ステップＳ５）。【選択図】          図５
2015210131.tif 000002
【特許請求の範囲】
【請求項１】
開口部と当該開口部を閉塞する閉塞材とを有する電磁シールド処理がなされた収納体の、前記開口部および前記閉塞材間に設けられたガスケットにかかる圧力を、前記開口部が前記閉塞材により閉塞された状態で測定する圧力測定部と、
予め設定された電磁シールド性能と当該電磁シールド性能を得るために必要な前記ガスケットにかかる圧力との対応を表す対応情報を記憶する性能情報記憶部と、
前記圧力測定部で測定された測定情報と前記対応情報とに基づき、前記ガスケットの、前記圧力測定部による測定箇所に対応する電磁シールド性能を検出するガスケット性能検出部と、
当該ガスケット性能検出部による検出結果を外部に出力する出力処理部と、を備えることを特徴とする収納体の性能評価装置。
【請求項２】
前記圧力測定部は、シート状の圧力センサであることを特徴とする請求項１に記載の収納体の性能評価装置。
【請求項３】
開口部と当該開口部を閉塞する閉塞材とを有する電磁シールド処理がなされた収納体の、前記開口部および前記閉塞材間に設けられたガスケットにかかる圧力を、前記開口部が前記閉塞材により閉塞された状態で測定し、
測定した圧力と、予め設定された電磁シールド性能と当該電磁シールド性能を得るために必要な前記ガスケットにかかる圧力との対応を表す対応情報とに基づき、前記ガスケットの、前記圧力の測定箇所に対応する電磁シールド性能を検出することを特徴とする収納体の性能評価方法。
【発明の詳細な説明】
【技術分野】
【０００１】
本発明は、電磁シールドルームなどの収納体の性能評価装置および性能評価方法に関し、特にガスケットを用いて電磁シールド性能を確保するようにした収納体の性能評価装置および性能評価方法に関する。
【背景技術】
【０００２】
一般に、電磁シールドルームの出入り口に設置された電磁シールド扉の外周と出入り口内周の双方接触部分には、電磁シールド扉を閉めた際に、当該電磁シールド扉の周辺から電磁波が漏洩しないようにシールドガスケットが取り付けられている。
このシールドガスケットは、電磁シールド扉の開閉に伴い摩擦が生じて劣化して切れることがあり、その場合、電磁シールド扉の電磁シールド性能は著しく低下する。
【０００３】
一般的に、電磁シールドルームの電磁シールド性能を低下させる要因は、シールドガスケットの劣化によることが知られている。そのため、電磁シールド扉の電磁シールド性能を定期的に確認し、必要に応じて改修を施すことにより、電磁シールドルーム全体の電磁シールド性能を維持するなどの対策が行われている。
電磁シールドルームにおける電磁シールド性能を測定する方法として、例えば、電磁シールドルームの出入り口に設置された電磁シールド扉の周囲に、この電磁シールド扉の室内側と室外側とのそれぞれに、互いに対応して複数組の送信アンテナおよび受信アンテナ、また、これら送信アンテナ、受信アンテナに接続された送信部および受信部を設け、電磁シールド扉を閉めた状態で例えば室内側から室外側に漏洩する電磁波を測定することにより、電磁シールドルームにおけるシールド性能を評価するようにしたものが提案されている（例えば、特許文献１参照）。
【先行技術文献】
【特許文献】
【０００４】
【特許文献１】特開２００７−１８３２１１号公報
【発明の概要】
【発明が解決しようとする課題】
【０００５】
ところで、前述のように、電磁シールドルームの電磁シールド性能を低下させる要因は、シールドガスケットの劣化によることが知られているが、そもそも、シールドガスケットが劣化していなくても、シールドガスケットを取り付ける際に、浮きや隙間が発生していると、シールドガスケット自体は劣化していなくとも、十分な電磁シールド性能を得ることができない。また、遮蔽する周波数によって、シールドガスケットを取り付ける際の隙間による影響が異なり、すなわち波長との関係から周波数が高くなるほど、隙間の影響が大きくなり隙間の管理が必要となる。また、使用するシールドガスケットによって、電磁シールド扉に取り付ける際に、シールドガスケットを本体に強く締め付けないと、電磁シールド性能を確保できないものもあるが、電磁シールド性能を確保するために強く締めつけると電磁シールド扉が変形し、別の部分が浮くことがある。
【０００６】
以上のような点から、電磁シールドルームが構築される以前の、電磁シールド扉を設置した時点で、電磁シールド扉の電磁シールド性能を確認することが望まれる。しかしながら、前述のように、送信アンテナおよび受信アンテナを用いて電磁シールド性能を評価する方法にあっては、電磁シールドルームが構築されていないと電磁シールド性能を評価することができない。
【０００７】
特に、電磁シールド扉の電磁シールド性能は、シールドガスケットの調整次第で大きく変化し、また、電磁シールド扉は、要求された電磁シールド性能を確保することが困難であり、電磁シールド性能を確保するためのガスケットの調整作業に時間を要することから、電磁シールドルームが構築される前に電磁シールド性能を評価することのできる方法が望まれていた。
【０００８】
そこで、この発明は、上記従来の未解決の課題に着目してなされたものであり、電磁シールドルームなどの収納体が構築されていなくても、収納体の開口部に設けられたガスケットの電磁シールド性能を容易に評価することのできる収納体の性能評価装置および性能評価方法を提供することを目的としている。
【課題を解決するための手段】
【０００９】
本発明の一態様は、開口部（例えば図２、図３に示す、扉枠１２）と当該開口部を閉塞する閉塞材（例えば図２、図３に示す、電磁シールド扉１１）とを有する電磁シールド処理がなされた収納体（例えば図２に示す、電磁シールドルーム１０）の、前記開口部および前記閉塞材間に設けられたガスケット（例えば図１３に示す、シールドガスケット１３）にかかる圧力を、前記開口部が前記閉塞材により閉塞された状態で測定する圧力測定部（例えば図１に示す、圧力測定部２）と、予め設定された電磁シールド性能と当該電磁シールド性能を得るために必要な前記ガスケットにかかる圧力との対応を表す対応情報を記憶する性能情報記憶部（例えば図１に示す、記憶部４）と、前記圧力測定部で測定された測定情報と前記対応情報とに基づき、前記ガスケットの、前記圧力測定部による測定箇所に対応する電磁シールド性能を検出するガスケット性能検出部（例えば図５に示す、ステップＳ４の処理）と、当該ガスケット性能検出部による検出結果を外部に出力する出力処理部（例えば図５に示す、ステップＳ５の処理）と、を備えることを特徴とする収納体の性能評価装置、である。
【００１０】
前記圧力測定部は、シート状の圧力センサであってよい。
また、本発明の他の態様は、開口部と当該開口部を閉塞する閉塞材とを有する電磁シールド処理がなされた収納体の、前記開口部および前記閉塞材間に設けられたガスケットにかかる圧力を、前記開口部が前記閉塞材により閉塞された状態で測定し、測定した圧力と、予め設定された電磁シールド性能と当該電磁シールド性能を得るために必要な前記ガスケットにかかる圧力との対応を表す対応情報とに基づき、前記ガスケットの、前記圧力の測定箇所に対応する電磁シールド性能を検出することを特徴とする収納体の性能評価方法、である。
【発明の効果】
【００１１】
本発明の一態様によれば、電磁シールドルームなどの収納体が構築されていなくても、収納体の開口部に設けられたガスケットの電磁シールド性能を容易に評価することができる。
【図面の簡単な説明】
【００１２】
【図１】本発明における電磁シールドルームの性能評価装置の一例を示す機能ブロック図である。
【図２】本発明を適用した電磁シールドルームの一例を示す概略構成図である。
【図３】電磁シールドルームの要部の一例を示す断面図である。
【図４】対応情報の一例である。
【図５】演算処理部の処理手順の一例を示すフローチャートである。
【図６】電磁シールド性能の検出結果の表示例である。
【発明を実施するための形態】
【００１３】
以下、図面を参照して本発明の実施形態を説明する。
図１は、本発明にかかる収納体の性能評価装置を、電磁シールドル―ムに適用した、収納体の性能評価装置の一例を示す概略構成図である。
図１に示すように、性能評価装置１は、面圧力を測定する圧力測定部２と、パーソナルコンピュータ等からなる演算処理部３と、電磁シールド性能情報が格納される記憶部４と、演算処理部３で取得した電磁シールド性能を表示する表示装置５と、を備える。なお、ここでは、出力装置として表示装置を用い、演算処理部３で取得した電磁シールド性能を表示装置５に表示する場合について説明するが、例えば出力装置としてプリンタを用い、取得した電磁シールド性能をプリンタに出力するようにしてもよく、あるいは、ユーザやシールドガスケットの取り付け調整を行う作業者が保持する携帯端末、また、図示しない上位コンピュータ等に送信するようにしてもよい。
【００１４】
圧力測定部２は、面圧力を測定するシートタイプの圧力センサで構成される。なお、圧力センサはできるだけ薄いシート状であるものが好ましく、また部位ごとの圧力を細かく計測できるものが好ましい。
図２は、電磁シールドルーム１０の一例を示す概略構成図、図３は、図２の電磁シールドルーム１０において蝶番部分の断面図の一例を示す図である。
【００１５】
例えば図２に示すような電磁シールドルーム１０においては、図３に示すように、扉枠１２側の、電磁シールド扉１１の縁部と対向する部分にシールドガスケット１３が設けられている。すなわち、シールドガスケット１３は枠状に設けられている。
このような電磁シールドルーム１０の評価を行う場合には、電磁シールド扉１１と扉枠１２との間に挟むように圧力測定部２のシート状のセンサ部を配置し、電磁シールド扉１１を閉めた状態でシールドガスケット１３にかかる力を面圧力として測定する。圧力測定部２は、例えばシート各部の位置情報と、各位置における圧力測定値とを対応づけて、測定情報として演算処理部３に出力する。
【００１６】
演算処理部３は、圧力測定部２からの測定情報と、記憶部４に記憶された電磁シールド性能情報とから、各測定位置における電磁シールド性能を検出し、検出結果を表示装置５に出力する。
ここで、記憶部４に記憶された電磁シールド性能情報は、例えば、図４（ａ）に示すように、圧力とこれに対応する電磁シールド性能とが設定されている。
【００１７】
つまり、圧力の大きさによって得られる電磁シールド性能が異なる。したがって、圧力と電磁シールド性能との対応を予め実験を行う等により計測しておき、この対応情報を利用することにより、実際の圧力の大きさから、実際に得られる電磁シールド性能を推測することができる。
電磁シールド性能は、シールドガスケット１３の種類や、遮蔽する電磁波の周波数によって同じ圧力でも異なることから、シールドガスケット１３の種類や、遮蔽対象の電磁波の周波数毎に、圧力と電磁シールド性能との対応が設定され、電磁シールド性能情報として記憶部４に格納されている。
【００１８】
なお、ここでは、電磁シールド性能を検出する場合について説明するが、電磁シールド性能と同様に、気密性能も圧力の大きさによって異なる。したがって、図４（ｂ）に示すように、圧力と気密性能との対応を予め実験を行う等により計測しておき、この対応情報を利用することにより、実際の圧力の大きさから、実際に得られる気密性能を推測することができる。なお、図４（ｂ）では、気密性能を、ＪＩＳ規定の気密性能の等級で表している。
【００１９】
図５は、演算処理部３の処理手順の一例を示すフローチャートである。
演算処理部３では、まず初期情報の入力を促す表示を行い、例えば、評価対象の電磁シールド扉１１の材質などといった種類、遮蔽対象の電磁波の周波数などの評価に必要な初期情報の入力を促し、初期情報を取得する（ステップＳ１）。
そして、評価者が圧力測定部２を用いて、シールドガスケット１３の圧力の測定を行うと、演算処理部３では、圧力測定部２から測定情報を取得し（ステップＳ２）、圧力測定部２によるシールドガスケット１３の測定位置と、測定情報に含まれる位置情報とに基づき、枠状のシールドガスケット１３の全周について各位置における圧力を検出する（ステップＳ３）。
【００２０】
続いて、記憶部４に記憶された電磁シールド性能情報のうち、初期情報として入力された、使用するシールドガスケット１３の種類や遮蔽する電磁波の種類などに対応した電磁シールド性能情報を読み出し、シールドガスケット１３の各位置における圧力から、この圧力に対応する電磁シールド性能を特定し、シールドガスケット１３の全周における電磁シールド性能を特定する（ステップＳ４）。
【００２１】
そして、特定した結果を、表示装置５に表示する（ステップＳ５）。例えば、図２および図３の電磁シールド扉１１に設けられたシールドガスケット１３の圧力を測定した場合には、電磁シールド扉１１を基準としてシールドガスケット１３の配置状況と、シールドガスケット１３の各部位における電磁シールド性能を、各性能の度合いに応じて表示色や濃度を変えるなど表示形態を異ならせて表示する。このように、表示形態を変えて表示することによって、シールドガスケット１３のどの部位が電磁シールド性能の点で不十分であるかを、ユーザが、視覚的に容易に認識できるようにしている。
【００２２】
次に、上記実施形態の動作を説明する。
今、図２に示す電磁シールドルーム１０の電磁シールド性能を評価するものとする。評価者は、まず、図３に示すように、圧力測定部２のシート状のセンサ部を、シールドガスケット１３と電磁シールド扉１１との間に挟み込んだ状態で電磁シールド扉１１を閉じ、この状態で、圧力測定を行う。圧力測定部２のセンサ部はシート状であるため、電磁シールド扉１１を挟み込んだ状態で圧力測定を行ったとしても、圧力測定部２がその測定値に与える影響を低減することができる。
【００２３】
このとき、圧力測定部２による測定位置を順に変え、シールドガスケット１３の全周について各位置における圧力を測定する。
各測定位置における測定情報は、演算処理部３に入力され、シールドガスケット１３における圧力分布が検出される（ステップＳ１〜Ｓ３）。
ここで、圧力の測定は、枠状のシールドガスケット１３の全周について行う必要がある。そのため、例えば、表示装置５に、電磁シールド扉１１のサイズを入力するよう促す表示を行い、入力された電磁シールド扉１１のサイズに対応する大きさのシールドガスケット１３を表示装置５に表示し、圧力測定部２による１度の圧力測定により測定可能な範囲に応じて、シールドガスケット１３における圧力測定部２の測定範囲を表示する。そして、圧力測定部２による圧力測定を次に行うべき範囲を表示装置５において指示し、シールドガスケット１３の指示された位置に、ユーザが圧力測定部２を配置し測定を行う。このように圧力測定部２による測定範囲を、表示装置５により順に指示し、この指示にしたがって、ユーザが圧力測定を行うことによって、シールドガスケット１３の全周について圧力を測定することができる。
【００２４】
一方、演算処理部３では、表示装置５により指示した圧力測定部２による測定範囲をもとに、圧力測定部２からの測定情報が、シールドガスケット１３のどの位置に対応するかを認識する。
以上により、演算処理部３では、シールドガスケット１３全周における圧力分布を取得することができる。なお、圧力測定部２による測定方法と演算処理部３によるシールドガスケット１３全周における圧力分布の取得方法は、これに限るものではない。要は、演算処理部３において、シールドガスケット１３全周における圧力分布を取得することができればどのような方法であってもよい。
【００２５】
そして、このようにして得られたシールドガスケット１３全周における圧力分布と、記憶部４に格納されている電磁シールド性能情報とに基づき、シールドガスケット１３の各部における圧力から電磁シールド性能が特定され（ステップＳ４）、その結果が、例えば図６に示すように表示される。例えば、電磁シールド性能が低い部分を明示するように、電磁シールド性能の度合いに応じて表示形態を変えて表示される（ステップＳ５）。
【００２６】
ユーザは、図６に示すような電磁シールド性能の分布を参照することによって、電磁シールド性能の低い部分を容易に認識することができる。そして、性能の低い部分のシールドガスケット１３に、浮きや隙間がないかなど、取り付け状況を調整したり、あるいは、扉枠１２への電磁シールド扉１１の取り付け状況を調整したりすることにより、性能の低い部分の圧力を調整する。これにより、所定の電磁シールド性能が得られる圧力に調整することになり、その結果、所定の電磁シールド性能を得ることができる。
【００２７】
なお、遮蔽する電磁波の周波数として周波数範囲が指定されている場合には、要求される周波数範囲の最高周波数に対応する圧力となるようにシールドガスケット１３の調整を行えばよい。
ここで、上述のように、シールドガスケット１３の圧力を測定することにより、電磁シールド性能を推測することができる。したがって、電磁シールドルーム１０全体が構築されていなくても、電磁シールド扉１１が、扉枠１２に取り付けられ且つシールドガスケット１３が扉枠１２の、電磁シールド扉１１の縁部に対応する位置に取り付けられた時点で、電磁シールド性能の評価を行うことができる。
【００２８】
つまり、電磁シールドルーム１０全体が完成する前の段階で電磁シールド扉１１の電磁シールド性能の評価を行うことができる。すなわち、電磁波を発生させなくとも電磁シールド性能を評価することができる。
また、電磁シールド扉１１は、要求された電磁シールド性能を確保することが困難であり、さらに電磁シールド性能を確保するためのシールドガスケット１３の調整作業に時間がかかる。しかしながら、上述のように、電磁シールドルーム１０全体の構築が完了する前の段階で、電磁シールド性能を評価することができるため、例えばシールドガスケット１３の圧力測定が可能な状態となった時点でシールドガスケット１３の調整を開始することにより、要求される電磁シールド性能を有する電磁シールドルーム１０を、より早い段階で実現することができる。また、電磁シールド扉１１を設置する際に、圧力を測定し、所望の電磁シールド性能を得ることのできる圧力となるよう調整しつつ電磁シールド扉１１を設置することによって、シールドガスケット１３の調整をより簡易に行うことができる。また、シールドガスケット１３の電磁シールド性能の測定は、簡易な構成で行うことができるため、電磁シールド扉１１が設定された時点から、シールドガスケット１３の調整を行うことによってシールドガスケット１３の調整と並行して他の作業を行うことができ、シールドガスケット１３の調整が工期に与える影響を抑制することができる。
【００２９】
また、シート状の圧力センサを用いてシールドガスケット１３の面圧力を細かく測定することによって、浮きや隙間を可視化することができ調整をより容易に行うことができる。
また、シールドガスケット１３に浮きや隙間が発生すると、電磁シールド性能は著しく低下し、シールドガスケット１３の調整次第で、電磁シールド扉１１の電磁シールド性能は大きく変化する。しかしながら、電磁シールド扉１１を閉めた状態では、それらを確認することができないため、電磁シールドルーム１０が要求される電磁シールド性能を実際に有しているかどうかを確認することができない。そのため、電磁シールド扉１１を開けた状態では、シールドガスケット１３に浮きや隙間が生じていないことを確認できたとしても、電磁シールド扉１１を閉めた状態で、すなわち電磁シールドルーム１０としての電磁シールド性能を発揮すべき状態で、所定の電磁シールド性能を発揮できていない可能性がある。しかしながら、上述のように、シート状のセンサ部を有する圧力測定部２を用いることにより、電磁シールド扉１１を閉じた状態で、電磁シールド性能を推測することができるため、より確実に、所定の電磁シールド性能を有する電磁シールドルーム１０を実現することができる。
【００３０】
また、このように、圧力測定部２を用いて圧力を測定することによって、浮きや隙間を可視化することができ、かつシールドガスケット１３全周について測定することができるため、調整をより容易に行うことができる。
また、遮蔽する周波数によって、シールドガスケット１３の浮きや隙間に対する影響が変わり、波長との関係から遮蔽する周波数が高くなるほど隙間の影響が大きくなる。また、要求される遮蔽すべき周波数範囲と電磁シールド性能とに応じて、電磁シールド扉１１の構造を変化させる必要があり、これによっても、シールドガスケット１３の浮きや隙間に対する影響が変わる。つまり、遮蔽すべき周波数や、要求される周波数範囲、また要求される電磁シールド性能によって、浮きや隙間に対する調整を高精度に行う必要があり、手間がかかる。しかしながら、上述のように遮蔽する周波数に応じて、必要とする電磁シールド性能を得ることのできると推測されるシールドガスケット１３の圧力を取得し、取得した圧力を満足するようにシールドガスケット１３の圧力を調整することによって、遮蔽する周波数に応じて適切に圧力を調整することができ、すなわち、所望の電磁シールド性能を容易に確保することができる。
【００３１】
また、使用するシールドガスケットによっては、強く締めつけないと電磁シールド性能を確保することができない場合があり、その一方で強く締めつけると電磁シールド扉１１が変形し、別の部分が浮く可能性がある。つまり、シールドガスケットを強く締めつければよいというわけではなく、所望の電磁シールド性能を得るためには、適切な圧力分布となるようにシールドガスケット１３の圧力を調整する必要がある。上述のように、シールドガスケット１３の各部位の圧力が、所望の電磁シールド性能を得られる圧力となるように、各部位の圧力を測定しつつ調整することによって、適切な圧力となるように容易に調整することができる。
【００３２】
また、上述のように、シート状のセンサ部を有する圧力測定部２を、電磁シールド扉１１とシールドガスケット１３との間に挟み込んだ状態で電磁シールド扉１１を閉じることで、シールドガスケット１３の圧力を測定することができるため、簡易な構成で電磁シールド性能を推測することができるとともに、電磁シールド性能を推測するに当たり、大型の測定装置を必要としないため、電磁シールドルーム１０を運用している最中であっても電磁シールド性能を測定することができる。
【００３３】
例えば、電磁シールド扉１１のコーナー部分のシールドガスケットは、シールドガスケットの連続性が切れることが多く、電磁シールド性能が低下する可能性が高い。また、シールドガスケットの一部分のみが強く押しつけられると、経年劣化によりシールドガスケットの復元力が低下し接触力が弱くなる。その結果、電磁シールド性能が低下する。このような運用中の電磁シールド性能の低下が生じる場合であっても、上述のように、圧力測定部２を用いてシールドガスケット１３の圧力を測定することによって、現在の電磁シールド性能を容易に認識することができる。また、上述のように、シート状のセンサ部を有する圧力測定部２を、劣化が生じていると予測されるシールドガスケット１３の部分に挟み込むだけで、電磁シールド性能を検出することができるため、電磁シールドルーム１０を運用中であっても、現在の電磁シールド性能を容易に検出することができる。
【００３４】
また、このように、シールドガスケット１３にかかる圧力を測定することによって、電磁シールド性能を推測することができるため、客先に対して、面圧力を提示することによって、電磁シールド性能を提示することができる。
また、前述のように、電磁シールド性能と同様に気密性能もシールドガスケット１３にかかる圧力から推測することができるため、前述の図４（ｂ）に示す対応情報を記憶しておくことによって、現在の気密性能を容易に推測することができる。
【００３５】
また、圧力差がなくとも気密性能を評価することができる。つまり、電磁シールドルーム１０に設けられた電磁シールド扉１１の気密性能を測定するには、電磁シールド扉１１を挟んで圧力差を設ける必要があるため、電磁シールドルーム１０全体が完成する前の段階では気密性能を評価することは困難である。そのため、電磁シールド扉１１の取り付け構造が検査時と同一構造であれば型式認定の成績書で代用することで、電磁シールド扉１１の評価を実際に行うことを省略できるが、実際に検査時の性能を維持しているかどうかを確認することはできない。
【００３６】
しかしながら、上述のように、シールドガスケット１３にかかる圧力から気密性能を推測することができるため、電磁シールド扉１１を扉枠に取り付けた段階で気密性能を評価することができる。
また、気密性能についても、シールドガスケット１３の調整次第で大きく変化するが、上述のように、電磁シールドルーム１０の構築が完了する前、あるいは、電磁シールドルーム１０を運用している最中であっても、現在の気密性能を容易に検出することができるため、所望の気密性能を容易に維持することができる。
【００３７】
また、この場合も、気密性能を推測することができるため、客先に対して、圧力分布を提示することによって、気密性能を提示することができる。
なお、上記実施形態において、電磁シールド扉１１の電磁シールド性能や気密性能を確保するためのシールドガスケット１３は、一重とは限らず、性能が高くなるほど一般的には数重構造となる。そのため、それぞれのシールドガスケットについて面圧力を検出できる必要がある。上述のように、シート状のセンサ部を有する圧力測定部２を用いることによって、シールドガスケット１３が数重構造となっている場合であっても、容易に面圧力を測定することができる。
【００３８】
また、上記実施形態においては、電磁シールドルーム１０の電磁シールド扉１１に設けられたシールドガスケット１３の評価を行う場合について説明したが、これに限るものではなく、電磁シールドルーム１０に電磁シールド窓が取り付けられていれば、この電磁シールド窓に設けられたシールドガスケットの圧力測定を行うことによってその評価を行うことも可能であり、扉や窓に限らず電磁シールドルーム１０に設けられた開口部に、シールドガスケットを介して閉塞材が設けられていれば適用することができる。
【００３９】
同様に、電磁シールドルーム１０に限るものではなく、例えば、電子機器を収納する電磁シールド筐体の開口部に設けられたシールドガスケット１３の評価を行うことも可能であり、電磁シールド処理がなされた収納体の開口部に設けられたシールドガスケットを対象として評価することが可能である。
また、電磁シールドルーム１０の電磁シールド性能や気密性能を評価する場合に限るものではなく、電磁シールド性能を有さなくとも、気密性能を有する部屋、筐体などであっても適用することができる。
【００４０】
また、上記実施形態においては、記憶部４に、複数の圧力とこれに対応する電磁シールド性能との対応情報、あるいは複数の圧力とこれに対応する気密性能との対応を表す対応情報を記憶する場合について説明したが、これに限るものではない。例えば、電磁シールドルームとして機能させるために必要な電磁シールド扉の電磁シールド性能を得るための、シールドガスケット１３にかかる圧力の最低値を記憶するようにしてもよい。つまり、少なくとも、これ以上の圧力があれば、電磁シールドルームとして機能させることができる、圧力の最小値のみを記憶し、簡易的な対応情報を記憶することによって、複数の圧力とこれに対応する電磁シールド性能とを記憶する必要がないため、記憶部４の記憶領域が少なくてすむ。
【００４１】
同様に、気密性能についても、気密性能のある部屋として機能させることのできる、開口部に設けられたガスケットにかかる圧力の最小値のみを記憶するようにしてもよい。
また、上記実施形態においては、シールドガスケット１３全周の圧力分布を測定する場合について説明したが、これに限るものではない。例えば、運用中は、電磁シールド扉１１のコーナー部分のシールドガスケットの連続性が切れることが多い。したがって、運用中は、例えば定期的など所定のタイミングで、コーナー部分のシールドガスケットについてのみ、圧力分布を測定し、その測定結果から、電磁シールド性能の低下を推測するようにしてもよく、シールドガスケットが劣化しやすいと予測される部分についてのみ圧力測定を行い、電磁シールド性能や気密性能を取得するように構成してもよい。
【００４２】
なお、本発明の範囲は、図示され記載された例示的な実施形態に限定されるものではなく、本発明が目的とするものと均等な効果をもたらすすべての実施形態をも含む。
さらに、本発明の範囲は、請求項により画される発明の特徴の組み合わせに限定されるものではなく、すべての開示されたそれぞれの特徴のうち特定の特徴のあらゆる所望する組み合わせによって画され得る。
【符号の説明】
【００４３】
１  電磁シールドルームの性能評価装置
２  圧力測定部
３  演算処理部
４  記憶部
５  表示装置
１０  電磁シールドルーム
１１  電磁シールド扉
１２  扉枠
１３  シールドガスケット
【図１】
2015210131.tif 000003
【図２】
2015210131.tif 000004
【図３】
2015210131.tif 000005
【図４】
2015210131.tif 000006
【図５】
2015210131.tif 000007
【図６】
2015210131.tif 000008